(57)【要約】【課題】当該通信環境におけるユーザーにとって最も好ましい条件で通信を行う。【解決手段】通信順位を規定した通信設定ファイルを参照し（Ａ２０１）、優先順位の最も高いネットワーク／ＡＰ（アクセスポイント）の通信モードに設定する（Ａ２０２）。通信チャネルをサーチして（Ａ２０３）、Ａ２０２で設定したＡＰに無線接続可能であるか否かを判断する（Ａ２０４）。無線接続不可能である場合には（Ａ２０４；ＮＯ）、通信ファイルにおいて次順位のＡＰがあるか否かを判断する（Ａ２０５）。ある場合には、次順位のネットワーク／ＡＰ通信モードに設定変更し（Ａ２０６）、Ａ２０３からの処理を繰り返す。そして、いずれかの順位のネットワーク／ＡＰ通信モードに設定変更した状態において、無線通信可能となった場合には（Ａ２０４；ＹＥＳ）、通信チャネルを選択設定し（Ａ２０７）、待受け受信状態を形成する（Ａ２０８）。【選択図】　　　　図５
2004088516.tif 000002
【特許請求の範囲】
【請求項１】
無線通信手段と、
この無線通信手段と通信可能な複数の通信装置のうち、予め設定された条件に基づいて、いずれか１つの通信装置を選択する選択手段と、
この選択手段により選択された通信装置と前記無線通信手段との通信を可能に接続する接続手段と
を備えたことを特徴とする通信端末。
【請求項２】
前記設定された条件とは通信速度であり、
前記選択手段は、前記無線通信手段が通信可能な状態にある通信装置を判別する判別手段を備え、この判別手段により通信可能と判別された通信装置のうち、最も高い通信速度の通信装置を選択することを特徴とする請求項１記載の通信端末。
【請求項３】
前記設定された条件とは通信料金であり、
前記選択手段は、前記無線通信手段が通信可能な状態にある通信装置を判別する判別手段を備え、この判別手段により通信可能と判別された通信装置のうち、最も低い通信料金の通信装置を選択することを特徴とする請求項１記載の通信端末。
【請求項４】
前記設定された条件とは接続可能範囲であり、
前記選択手段は、前記無線通信手段が通信可能な状態にある通信装置を判別する判別手段を備え、この判別手段により通信可能と判別された通信装置のうち、最も接続可能範囲が広い通信装置を選択することを特徴とする請求項１記載の通信端末。
【請求項５】
無線通信手段と、
この無線通信手段と通信可能な複数の通信装置の優先順位を記憶した記憶手段と、
前記無線通信手段が通信可能な状態にある通信装置を判別する判別手段と、
この判別手段により通信可能と判別された通信装置のうち、前記優先順位が最も高い通信装置を選択する選択手段と、
この選択手段により選択された通信装置と前記無線通信手段との通信を可能に接続する接続手段と
を備えたことを特徴とする通信端末。
【請求項６】
前記優先順位は、通信速度、通信料金、接続可能範囲のいずれか少なくとも１つを加味したものであることを特徴とする請求項５記載の通信端末。
【請求項７】
複数の通信装置と選択的に通信可能な無線通信手段を備える通信端末の通信制御方法であって、
前記無線通信手段と通信可能な複数の通信装置のうち、予め設定された条件に基づいて、いずれか１つの通信装置を選択する選択工程と、
この選択工程により選択された通信装置と前記無線通信手段との通信を可能に接続する接続工程と
を含むことを特徴とする通信端末の通信制御方法。
【請求項８】
複数の通信装置と選択的に通信可能な無線通信手段を備える通信端末の通信制御方法であって、
前記無線通信手段が通信可能な状態にある通信装置を判別する判別工程と、
この判別工程により通信可能と判別された通信装置のうち、予め設定されている優先順位が最も高い通信装置を選択する選択工程と、
この選択工程により選択された通信装置と前記無線通信手段との通信を可能に接続する接続工程と
を含むことを特徴とする通信端末の通信制御方法。
【請求項９】
複数の通信装置と選択的に通信可能な無線通信手段を備える通信端末が有するコンピュータを、
前記無線通信手段と通信可能な複数の通信装置のうち、予め設定された条件に基づいて、いずれか１つの通信装置を選択する選択手段と、
この選択手段により選択された通信装置と前記無線通信手段との通信を可能に接続する接続手段と
して機能させることを特徴とする通信制御プログラム。
【請求項１０】
複数の通信装置と選択的に通信可能な無線通信手段を備える通信端末が有するコンピュータを、
前記無線通信手段が通信可能な状態にある通信装置を判別する判別手段と、
この判別手段により通信可能と判別された通信装置のうち、予め設定されている優先順位が最も高い通信装置を選択する選択手段と、
この選択手段により選択された通信装置と前記無線通信手段との通信を可能に接続する接続手段と
して機能させることを特徴とする通信制御プログラム。
【請求項１１】
複数の通信装置と、これら複数の通信装置のいずれかと選択的に通信可能な無線通信手段を備える通信端末とからなる通信システムであって、
前記通信装置は、通信条件を送信する送信手段を備え、
前記通信端末は、
前記通信条件を受信する受信手段と、
この受信手段により受信された前記通信条件に基づいて、前記無線通信手段と通信可能な複数の通信装置のうち、いずれか１つの通信装置を選択する選択手段と、
この選択手段により選択された通信装置と前記無線通信手段との通信を可能に接続する接続手段と
を備えたことを特徴とする通信システム。
【発明の詳細な説明】
【０００１】
【発明の属する技術分野】
本発明は、通信相手となる通信装置を選択して通信を行う通信端末、通信端末の通信制御方法、通信制御プログラム及び通信システムに関する。
【０００２】
【発明の背景】
今日においては、携帯電話などの移動体通信端末の小型化及び多機能化が進み、ＰＤＡ機能やインターネット接続による電子メールやブラウザ機能を内蔵した通信端末も出現するに至っている。また、ＩＭＴ−２０００など、次世代の３Ｇ携帯電話においては、音楽、映像の配信やテレビ電話（ビデオ電話）などのマルチメディアサービスも期待されている。
【０００３】
一方、通信サービスに関しても、所謂インターネット喫茶や、空港や駅などの公共施設や交通金において、インターネット接続したパソコンやキオスク端末を有料、無料で提供し、外出先でも電子メールやＷＷＷを気軽に利用できるサービスが増えつつある。これらの中には、利用者が持ち込んだノートパソコンやＰＤＡなどでも、無線ＬＡＮを利用して、ケーブルレスでインターネット接続を提供するサービスも一部で開始されている。また、無線ＬＡＮやＢＴ（Ｂｌｕｅｔｏｏｔｈ方式）などの無線電波を用いる方式では、赤外線方式のように機器を対面させる必要もなく、ノートパソコンなどの携帯情報機器から無線ＬＡＮやＢＴアクセスポイント（基地局）と無線接続し、電子メールを送受信したり、ネットワークの９サーバーやサーバー上のＷｅｂコンテンツに低料金でワイヤレスアクセスすることが可能である。
このように、今日において通信端末及び通信端末が受けることが可能な通信サービスは多様となっている。
【０００４】
【発明が解決しようとする課題】
しかしながら、通信端末及びこれを使用して通信サービスを受けるユーザーにあっては、通信端末の機能や接続に伴って必要となる通信速度、料金、あるいは接続可能範囲に関して必ずしも充分な知識を有してはいないのが実情である。このため、ユーザーの通信端末が、当該通信環境においてはより高速で通信できるアクセスポイントやネットワークが存在するにも拘わらず、これを利用することなく他のアクセスポイントやネットワークにアクセスしてしまい、時間を浪費する事態が生ずる。また、より低料金あるいは無料で通信できるアクセスポイントやネットワークが存在するにも拘わらず、これを利用することなく他のアクセスポイントやネットワークにアクセスしてしまい、ユーザーの経済的負担が増加するする事態も生ずる。さらには、より広範囲で通信できるアクセスポイントやネットワークが存在するにも拘わらず、これを利用することなく他のアクセスポイントやネットワークにアクセスしてしまい、移動途中で通話やダウンロード等が不可能となってしまう事態も生ずる。
【０００５】
本発明は、このような従来の課題に鑑みてなされたものであり、当該通信環境におけるユーザーにとって最も好ましい条件で通信を行うことのできる通信端末、通信端末の通信制御方法、通信制御プログラム及び通信システムを提供することを目的とするものである。
【０００６】
【課題を解決するための手段】
前記課題を解決するために請求項１記載の発明に係る通信端末にあっては、無線通信手段と、この無線通信手段と通信可能な複数の通信装置のうち、予め設定された条件に基づいて、いずれか１つの通信装置を選択する選択手段と、この選択手段により選択された通信装置と前記無線通信手段との通信を可能に接続する接続手段とを備える。したがって、ユーザーがこの通信端末を携帯し、如何なる場所に移動して使用した場合であっても、通信可能な複数の通信装置のうち、予め設定された条件に基づいて、いずれか１つの通信装置が選択されて、この選択された通信装置と通信を可能に接続される。よって、ユーザーは何処でこの通信端末を使用した場合であっても、当該ユーザにとって最も有利な条件で、通話、電子メール、コンテンツのダウンロード等の通信よるサービスを享受することができる。
【０００７】
また、請求項２記載の発明に係る通信端末にあっては、前記設定された条件とは通信速度であり、前記選択手段は、前記無線通信手段が通信可能な状態にある通信装置を判別する判別手段を備え、この判別手段により通信可能と判別された通信装置のうち、最も高い通信速度の通信装置を選択する。したがって、ユーザーは何処でこの通信端末を使用した場合であっても、当該通信環境において最も高い通信速度で、通信よるサービスを享受することができる。
【０００８】
また、請求項３記載の発明に係る通信端末にあっては、前記設定された条件とは通信料金であり、前記選択手段は、前記無線通信手段が通信可能な状態にある通信装置を判別する判別手段を備え、この判別手段により通信可能と判別された通信装置のうち、最も低い通信料金の通信装置を選択する。したがって、ユーザーは何処でこの通信端末を使用した場合であっても、当該通信環境において最も低料金で、通信よるサービスを享受することができる。
【０００９】
また、請求項４記載の発明に係る通信端末にあっては、前記設定された条件とは接続可能範囲であり、前記選択手段は、前記無線通信手段が通信可能な状態にある通信装置を判別する判別手段を備え、この判別手段により通信可能と判別された通信装置のうち、最も接続可能範囲が広い通信装置を選択することを特徴とする。したがって、ユーザーは何処でこの通信端末を使用した場合であっても、当該通信環境において最も広い接続可能範囲で、通信よるサービスを享受することができ、その結果、移動途中で通話やダウンロード等が不可能となってしまう事態の発生を抑制することができる。
【００１０】
また、請求項５記載の発明に係る通信端末にあっては、無線通信手段と、この無線通信手段と通信可能な複数の通信装置の優先順位を記憶した記憶手段と、前記無線通信手段が通信可能な状態にある通信装置を判別する判別手段と、この判別手段により通信可能と判別された通信装置のうち、前記優先順位が最も高い通信装置を選択する選択手段と、この選択手段により選択された通信装置と前記無線通信手段との通信を可能に接続する接続手段とを備える。したがって、ユーザーがこの通信端末を携帯し、如何なる場所に移動して使用した場合であっても、通信可能な複数の通信装置のうち、優先順位が最も高い通信装置が選択されて、この選択された通信装置と通信を可能に接続される。よって、ユーザーは何処でこの通信端末を使用した場合であっても、当該通信環境において当該ユーザにとって最も有利な条件で通信よるサービスを享受することができる。
【００１１】
また、請求項６記載の発明に係る通信端末にあっては、前記優先順位は、通信速度、通信料金、接続可能範囲のいずれか少なくとも１つを加味したものである。よって、当該ユーザにとって、通信速度的、通信料金的、あるいは通信可能領域的に最も有利な条件で、通話、電子メール、コンテンツのダウンロード等の通信よるサービスを享受することができる。
【００１２】
また、請求項７記載の発明にあっては、複数の通信装置と選択的に通信可能な無線通信手段を備える通信端末の通信制御方法であって、前記無線通信手段と通信可能な複数の通信装置のうち、予め設定された条件に基づいて、いずれか１つの通信装置を選択する選択工程と、この選択工程により選択された通信装置と前記無線通信手段との通信を可能に接続する接続工程とを含む。したがって、記載した工程に従って処理を実行することにより、請求項１記載の発明と同様の作用効果を奏する。
【００１３】
また、請求項８記載の発明にあっては、複数の通信装置と選択的に通信可能な無線通信手段を備える通信端末の通信制御方法であって、前記無線通信手段が通信可能な状態にある通信装置を判別する判別工程と、この判別工程により通信可能と判別された通信装置のうち、予め設定されている優先順位が最も高い通信装置を選択する選択工程と、この選択工程により選択された通信装置と前記無線通信手段との通信を可能に接続する接続工程とを含む。したがって、記載した工程に従って処理を実行することにより、請求項５記載の発明と同様の作用効果を奏する。
【００１４】
また、請求項９記載の発明に係る通信制御プログラムにあっては、複数の通信装置と選択的に通信可能な無線通信手段を備える通信端末が有するコンピュータを、前記無線通信手段と通信可能な複数の通信装置のうち、予め設定された条件に基づいて、いずれか１つの通信装置を選択する選択手段と、この選択手段により選択された通信装置と前記無線通信手段との通信を可能に接続する接続手段として機能させる。したがって、前記コンピュータがこのプログラムに従って処理を実行することにより、請求項１記載の発明と同様の作用効果を奏する。
【００１５】
また、請求項１０記載の発明に係る通信制御プログラムにあっては、複数の通信装置と選択的に通信可能な無線通信手段を備える通信端末が有するコンピュータを、前記無線通信手段が通信可能な状態にある通信装置を判別する判別手段と、この判別手段により通信可能と判別された通信装置のうち、予め設定されている優先順位が最も高い通信装置を選択する選択手段と、この選択手段により選択された通信装置と前記無線通信手段との通信を可能に接続する接続手段として機能させる。したがって、前記コンピュータがこのプログラムに従って処理を実行することにより、請求項５記載の発明と同様の作用効果を奏する。
【００１６】
また、請求項１１記載の発明にあっては、複数の通信装置と、これら複数の通信装置のいずれかと選択的に通信可能な無線通信手段を備える通信端末とからなる通信システムであって、前記通信装置は、通信条件を送信する送信手段を備え、前記通信端末は、前記通信条件を受信する受信手段と、この受信手段により受信された前記通信条件に基づいて、前記無線通信手段と通信可能な複数の通信装置のうち、いずれか１つの通信装置を選択する選択手段と、この選択手段により選択された通信装置と前記無線通信手段との通信を可能に接続する接続手段とを備る。
【００１７】
したがって、ユーザーがこの通信端末を携帯し、如何なる場所に移動して使用した場合であっても、通信可能な複数の通信装置のうち、予め設定された条件に基づいて、いずれか１つの通信装置が選択されて、この選択された通信装置と通信を可能に接続される。よって、ユーザーは何処でこの通信端末を使用した場合であっても、当該ユーザにとって最も有利な条件で、通信よるサービスを享受することができるシステムを確立することができる。
【００１８】
【発明の実施の形態】
以下、本発明の実施の形態を図に従って説明する。
（第１の実施の形態）
本発明の第１の実施の形態に係る通信端末は、腕に装着することが可能な腕時計型である。図１に示すように、この腕時計型通信端末１は、後述する無線ＡＰ（アクセスポイント）５１、５８と無線ＬＡＮ通信を行い、且つ携帯電話端末５５とＢＴで通信を行うためのアンテナ２を有している。このアンテナ２は、ＲＦ／送受信部３のアンテナスイッチ４に接続されている。ＲＦ／送受信部３の受信側には、アンテナスイッチ４に接続されたアンプ５が設けられているともに、拡散復調部６、情報復調部７が順次設けられ、情報復調部７で復調された情報はＲＦ制御部８に入力される。また、ＲＦ／送受信部３の送信側には、ＲＦ制御部８に接続された情報変調部９が設けられているとともに、拡散変調部１０、アンプ１１が順次設けられ、アンプ１１により増幅された信号がアンテナ２から外部に送信される。また、発振器（ＶＣＯ）１２からの所定周波数の信号は、周波数シンセサイザー１３により処理されて拡散復調部６と拡散変調部１０とに与えられる。
【００１９】
ベースバンド部１４には、リンク制御部１５が設けられているとともに、フラッシュＲＯＭ１６、ＲＡＭ１７、無線デバイスＩＤ記憶部１８が設けられている。フラッシュＲＯＭ１６には、リンク制御部１５が動作するためのプログラムが記憶され、ＲＡＭ１７はリンク制御部１５のワークエリアとして使用され、無線デバイスＩＤ記憶部１８には、無線ＡＰ５１、５８や携帯電話端末５５等の通信する際のＩＤデータである無線デバイスＩＤが通信相手毎に記憶されている。また、リンク制御部１５は、ＲＦ制御部８からの入力信号を処理するためのパケット入力処理部１９、ＲＦ制御部８を制御する接続制御部２０、及びＲＦ制御部８への出力信号を処理するためのパケット出力処理部２１を有している。
【００２０】
制御部２２は、各部を制御するものであって、前記ＲＦ／送受信部３のＲＦ制御部８と前記ベースバンド部１４のリンク制御部１５とに接続されているとともに、電源制御部２３、スピーカ２４、キー入力部２５、時計部２６、データメモリ２７、プログラムメモリ２８、表示駆動回路２９が接続されている。電源制御部２３は、電源を必要とする各部に電池３０からの電源を供給する。スピーカ２４は、制御部２２により生成される音声信号を再生して放音し、キー入力部２５は各種キーを備えキーの操作情報を制御部２２に入力する。データメモリ２７には、ＨＴＭＬデータ、メールデータ、ＰＩＭデータ、及び後述する通信設定データが記憶される。プログラムメモリ２８には、ＷＷＷブラウザ、メールソフト、ＰＩＭソフト、通信ソフト、無線リンク／無線ＬＡＮプロトコル、ＰＣリンクソフト、その他のアプリケーション等の各種プログラムが格納されている。制御部２２はこのプログラムメモリ２８に格納されているプログラムに基づき、後述するフローチャートに示す処理を実行する。表示駆動回路２９は、制御部２２からの制御信号に基づいて、ＬＣＤからなる画像表示装置３１を駆動し、これにより画像表示装置３１に文字等を含む画像が表示される。
【００２１】
他方、サーバー群４２を有するインターネット４１は、ルーター４３、４４、移動体網４５、公衆網／ＡＤＳＬ網等４６に接続されている。一方のルーター４３には、ＷＷＷサーバー４７とＳＷ／ＨＵＢ４８とが接続され、ＳＷ／ＨＵＢ４８に各ユーザのＰＣ（ｐｅｒｓｏｎａｌ　ｃｏｍｐｕｔｅｒ）４９が接続される。他方のルーター４４には、Ｍａｉｌ／ＷＷＷサーバー５２に接続されているとともに、ＳＷ／ＨＵＢ５０を介して第１無線ＡＰ５１に接続され、ＳＷ／ＨＵＢ５０にはユーザーのＰＣ５３に接続される。
【００２２】
前記移動体網４５は、無線基地局５４に接続されており、携帯電話端末５５は、無線基地局５４との無線ＬＡＮによる通信機能と、ＢＴにより腕時計型通信端末１と通信し得る機能とを併有している。前記公衆網／ＡＤＳＬ網等４６は、モデム５６等及びＨＵＢ５７等を介して第２無線ＡＰ５８に接続され、ＨＵＢ５７等にはユーザーのＰＣ５９が接続される。
なお、前述のように腕時計型通信端末１は、アンテナ２により無線ＬＡＮで各無線ＡＰ５１、５８と通信する機能と、ＢＴにより携帯電話端末５５と通信する機能とを併有するものである。
【００２３】
図２及び図３は、前記データメモリ２７に予め記憶されている通信設定データの一例を示すものである。図２に示すように通信設定データ（１）としては、優先順位１、２、３・・・毎に、アクセスポイント名称（第１無線ＡＰ、第２無線ＡＰ、携帯電話端末）、無線デバイスＩＤ、ネットワーク種別（ＬＡＮ、Ｄｉａｌ　ｕｐ　Ｎｅｔｗｏｒｋ、移動体網・・・）、有料／無料（無料、有料（定額）、有料（従量））、Ｇａｔｅｗａｙアドレスが記憶されているとともに、ＩＰアドレス、サブネットマスク、他通信設定が必要に応じて記憶されている。つまり、このデータメモリ２７においては、低料金でありかつ通信速度が高速であるほど、優先順位が高く設定されている。
【００２４】
また、図３に示すように通信設定データ（２）としては、利用アプリケーション（メール送受信、ＰＩＭシンクロ・・・）毎に優先順位１、２、３等が記憶され、この優先順位毎に、アクセスポイント名称（第１無線ＡＰ、第２無線ＡＰ、携帯電話端末）、無線デバイスＩＤ、ネットワーク種別（ＬＡＮ、Ｄｉａｌ　ｕｐ　Ｎｅｔｗｏｒｋ、移動体網）、有料／無料（無料、有料（定額）、有料（従量））、利用プロファイル（ＬＡＮ、Ｄｉａｌ　ｕｐ　Ｎｅｔｗｏｒｋ（１）、Ｄｉａｌ　ｕｐ　Ｎｅｔｗｏｒｋ（２））が記憶されているとともに、他通信設定が必要に応じて記憶されている。
【００２５】
つまり、これら通信設定データ（１）及び（２）においては、低料金でありかつ通信速度が高速であるほど、優先順位が高く設定されている。なお、通信設定データ（１）及び（２）は、腕時計型通信端末１の工場出荷時等において予めメーカーがデータメモリ２７に記憶させておいてもよいし、キー入力部２５での操作によりユーザーがデータメモリ２７に記憶させたものであってもよい。
【００２６】
以上の構成に係る本実施の形態において、腕時計型通信端末１の制御部２２は、プログラムメモリ２８に格納されているプログラムに基づき、図４に示すフローチャートに従って処理を実行する。すなわち、初期設定を行った後（ステップＡ１０１）、キー入力部２５に対するユーザーの操作によって通信機能がオンとなっているか否かを判断する（ステップＡ１０２）。通信機能がオフとなっている場合には、当該通信機能の停止状態（Ｈａｌｔ）を維持する（ステップＡ１０３）。また、通信機能がオンになっている場合には、後述する通信処理を実行する（ステップＡ１０４）。
【００２７】
次に、キー入力部２５からのキー入力又は時計部２６からの時計キャリーがあったか否かを判断し（ステップＡ１０５）、両者が共にない場合にはステップＡ１１０２からの処理を繰り返す。また、時計キャリーがあった場合には、時計処理を実行して画像表示装置３１の一部に表示させる時計データを歩進させる（ステップＡ１０６）。引き続きアラーム処理を実行し（ステップＡ１１０７）、キー入力部２５からのキー入力があったか否かを判断する（ステップＡ１０８）。そして、このステップＡ１０８又は前記ステップＡ１０５でキー入力があったと判断した場合には、キー入力処理を行って操作されたキーに対応する処理を実行する（ステップＡ１１０）。しかる後に、表示処理を行って（ステップＡ１１１）、前述の時計処理（ステップＡ１０６）で歩進させた時計データに従って、画像表示装置３１の現在時刻を更新し、ステップＡ１０２からの処理を繰り返す。また、他の割り込みが発生した場合には、その他の割り込み処理を実行した後（ステップＡ１０９）、ステップＡ１０２からの処理を繰り返す。
【００２８】
図５は、前記通信処理（ステップＡ１０４）の詳細を示すフローチャートであり、先ず通信順位を規定した通信設定ファイル（図２の通信設定データ（１））を参照する（ステップＡ２０１）。次に、この通信ファイルを参照した結果に基づき、優先順位の最も高いネットワーク／ＡＰの通信モードに設定する（ステップＡ２０２）。ここで、図２に示した通信ファイルにおいて、最も優先順位が高いネットワーク／ＡＰは、ネットワーク種別がＬＡＮの第１無線ＡＰ５１であるから、第１無線ＡＰ５１に対するＬＡＮ通信モードが設定される。
【００２９】
次に、通信チャネルをサーチして（ステップＡ２０３）、チャネルサーチがＯＫであるか否か、すなわち、前述のステップＡ２０２で設定したＡＰに無線接続可能であるか否かを判断する（ステップＡ２０４）。無線接続不可能である場合には（ステップＡ２０４；ＮＯ）、通信ファイル（通信設定データ（１））において次順位のＡＰがあるか否かを判断する（ステップＡ２０５）。ある場合には、次順位のネットワーク／ＡＰ通信モードに設定変更し（ステップＡ２０６）、ステップＡ２０３からの処理を繰り返す。
【００３０】
したがって、１回目のステップＡ２０４の判断がＮＯであったとすると、ステップＡ２０６で第２無線ＡＰ５８に対するＤｉａｌ　ｕｐ　Ｎｅｔｗｏｒｋ通信モードが設定され、２回目にステップＡ２０４の判断がＮＯであったとすると、ステップＡ２０６で携帯電話端末５５に対する移動体網通信モードが設定される。なお、この場合、携帯電話端末５５とＢＴにより通信を行い、ステップＡ２０４では、携帯電話端末５５が無線基地局５４を介して移動体網４５に接続可能であるか否かを判断する。
【００３１】
このように、ステップＡ２０４の判断がＮＯとなる毎に、通信ファイル（通信設定データ（１））において次順位のネットワーク／ＡＰ通信モードに設定変更し、通信ファイル（通信設定データ（１））に次順位がなくなった場合には（ステップＡ２０５；ＹＥＳ）、図４のステップＡ１０４にリターンする。
【００３２】
また、いずれかの順位のネットワーク／ＡＰ通信モードに設定変更した状態において、無線通信可能となった場合には（ステップＡ２０４；ＹＥＳ）、通信チャネルを選択設定し（ステップＡ２０７）、待受け受信状態を形成する（ステップＡ２０８）。この待受け受信状態において設定チャネルで通信可能か否かを常にチェックし（ステップＡ２０９）、通信不可能となった場合には（ステップＡ２０９；ＮＯ）、ステップＡ２０３からの処理を実行する。
【００３３】
設定チャネルで通信可能な状態が継続している場合には（ステップＡ２０９；ＹＥＳ）、発信及び着信の有無を判断する（ステップＡ２１０、Ａ２１２）。そして、発信があった場合には発信処理を実行し（ステップＡ２１１）、着信があった場合には着信処理を実行する（ステップＡ２１３）。発信処理又は着信処理を実行したならば、これらに伴って通話／データ通信／データシンクロ処理を実行するとともに（ステップＡ２１４）、チャネル切替等を実行し（ステップＡ２１５）、通話やデータ通信が終了／切断したか否かを判断する（ステップＡ２１６）。通話やデータ通信が終了／切断するまで、ステップＡ２１４及びステップＡ２１５の処理を繰り返し、終了／切断したならば、終了処理を実行した後（ステップＡ２１７）、待受け受信状態に戻る。
【００３４】
また、腕時計型通信端末１の制御部２２は、プログラムメモリ２８に格納されているプログラムに基づき、図６（Ａ）に示すフローチャートに従って前記通信処理（ステップＡ３０４）を実行する。先ず、利用アプリケーション毎の該当する通信設定ファイルの接続優先順位を参照する（ステップＡ３０１）。つまり、通信設定ファイルである図３の通信設定データ（２）において、利用アプリケイション「メール送受信」「ＰＩＭシンクロ」・・・毎の接続優先順位（１、２、・・・）を参照する。次に、この通信ファイルを参照した結果に基づき、優先順位の最も高い接続先の通信モードに設定する（ステップＡ３０２）。
【００３５】
ここで、図３に示した通信ファイル（通信設定データ（２））において、利用アプリケーションが「メール送受信」であったとすると、すると、最も優先順位が高い接続先は、優先順位「１」の「第１無線ＡＰ５１」であり、その通信モード（ネットワーク種別）は「ＬＡＮ」である。よって、第１無線ＡＰ５１に対するＬＡＮ通信モードが設定される。
【００３６】
次に、通信チャネルをサーチして（ステップＡ３０３）、通信チャネルがＯＫであるか否か、すなわち、前述のステップＡ３０２で設定したＡＰに無線接続可能であるか否かを判断する（ステップＡ３０４）。無線接続不可能である場合には、再度通信ファイル（通信設定データ（２））を参照し（ステップＡ３０５）、次順位の通信モードがあるか否かを判断する（ステップＡ３０６）。ある場合には、次に優先順位の高い接続先の通信モードに再設定し（ステップＡ３０７）、ステップＡ３０３からの処理を繰り返す。
【００３７】
したがって、利用アプリケーションが「メール送受信」である場合、１回目のステップＡ３０４の判断がＮＯであったとすると、ステップＡ３０７で第２無線ＡＰ５８に対するＤｉａｌ　ｕｐ　Ｎｅｔｗｏｒｋ通信モードが設定され、２回目のステップＡ３０４の判断がＮＯであったとすると、ステップＡ３０７で携帯電話端末５５に対する移動体網通信モードが設定される。なおこの場合、携帯電話端末５５とＢＴにより通信を行い、ステップＡ３０４では、携帯電話端末５５が無線基地局５４を介して移動体網４５に接続可能であるか否かを判断する。
【００３８】
このように、ステップＡ３０４の判断がＮＯとなる毎に、通信ファイル（通信設定データ（２））の利用アプリケーションにおいて次順位のネットワーク／ＡＰ通信モードに設定変更し、通信ファイルに次順位がなくなった場合には（ステップＡ３０６；ＹＥＳ）、図４のステップＡ３０４にリターンする。また、いずれかの順位の接続先の通信モードに設定変更した状態において、無線通信可能となった場合には（ステップＡ３０４；ＹＥＳ）、制御信号送信、通信接続処理を行って（ステップＡ３０８）、このときの接続先である第１無線ＡＰ５１、第２無線ＡＰ５８、携帯電話端末５５のいずれかに、接続要求信号を送信する。
【００３９】
一方、第１無線ＡＰ５１、第２無線ＡＰ５８、携帯電話端末５５は、格納されているプログラムに基づき図６（Ｂ）に示すフローチャートに従って動作し、常時待受け中の状態を形成している（ステップＢ３０１）。そして、前述のステップＡ３０８での処理により腕時計型通信端末１から、制御信号として接続要求信号が送信されてくると、この制御信号を受信して通信接続処理を実行する（ステップＢ３０２）。次に、腕時計型通信端末１と無線接続可能であるか否かを判断し（ステップＢ３０３）、接続不可能である場合には、待受け受信状態にリターンする。
【００４０】
また、接続可能である場合には、腕時計型通信端末１に対し制御信号である応答信号を送信する（ステップＢ３０４）。すると腕時計型通信端末１は、前記ステップＡ３０８の通信接続処理においてこの応答信号を受信し、この応答信号の受信の有無に基づき、接続先との通信接続が可能となったか否かを判断する（ステップＡ３０９）。前記応答信号を受信することなく、接続先との通信接続が不可能であった場合には（ステップＡ３０９；ＮＯ）、ステップＡ３０３からの処理を繰り返す。
【００４１】
そして、腕時計型通信端末１は、前記応答信号を受信することによって、接続先との通信接続が可能と判断した場合には（ステップＡ３０９；ＹＥＳ）、接続先（第１無線ＡＰ５１、第２無線ＡＰ５８、携帯電話端末５５のいずれか）と通信を行い、通話／データ通信／データシンクロ処理を実行しつつ（ステップＡ３１０）、通話やデータ通信が終了／切断したか否かを判断する（ステップＡ３１１）。通話やデータ通信が終了／切断するまで、ステップＡ３１０の処理を繰り返し、終了／切断したならば、終了処理を実行した後（ステップＡ３１２）、待受け受信状態に戻る。
【００４２】
他方、接続先（第１無線ＡＰ５１、第２無線ＡＰ５８、携帯電話端末５５のいずれか）も同様に、腕時計型通信端末１と通信を行い、通話／データ通信／データシンクロ処理を実行しつつ（ステップＢ３０５）、通話やデータ通信が終了／切断したか否かを判断する（ステップＢ３０６）。通話やデータ通信が終了／切断するまで、ステップＡ３０６の処理を繰り返し、終了／切断したならば、終了処理を実行した後（ステップＡ３０７）、待受け受信状態に戻る。
【００４３】
（第２の実施の形態）
図７は、本発明の第２の実施の形態に係る腕時計型通信端末１０１の回路構成を示すものであり、腕時計型電話機又は腕時計型テレビ電話端末に本発明を適用したものである。この腕時計型通信端末１０１において、符号２〜２１のＲＦ／送受信部３とベースバンド部１４の構成、電源制御部２３、キー入力部２５、時計部２６、電池３０を有する構成は、前述の図１に示した腕時計型通信端末１と同様であるので、同一符号を付して説明を省略する。
【００４４】
この腕時計型通信端末１０１は、マイクロコンピュータからなる主制御部６０を有している。ＲＡＭ６１には、前記図２及び図３に示した通信設定データ（１）（２）等の各種データが格納されるとともに、主制御部６０のワークエリアとしても使用される。メモリカード６２には、主制御部６０によりカードＩ／Ｆ６３を介してデータの読み出し及び書き込みがなされる。
【００４５】
フラッシュＲＯＭ６４には、インターネットアプリケーション、カメラ＆画像ビュアー、ＩＰ電話／ＩＰテレビ電話アプリケーション、無線リンク／無線ＬＡＮソフト、ＰＣリンクソフト、通信プロトコル・ソフト等の各種プログラムが格納されている。主制御部６０はこのフラッシュＲＯＭ６４に格納されているプログラムに基づき、前述した図４〜図６のフローチャートに示した処理を実行する。
【００４６】
画像／音声データ復号器６５は、システム多重分離部６６を備え、このシステム多重分離部６６は、主制御部６０を介して入力される画像／音声データを音声符号、同期／制御情報及びビデオ符号に分離する。音声符号は、オーディオ復号器６７により復号され、Ｄ／Ａコンバータ７４を介してアンプ７５に送られ、このアンプ７５で増幅されてスピーカ７６により再生される。前記同期／制御情報は、復号制御／同期制御部６８に入力される。復号制御／同期制御部６５は、同期／制御情報に基づきオーディオ復号器６７とビデオ復号器６９との同期を制御する。前記ビデオ符号は、ビデオ復号器６９に入力される。このビデオ復号器６９は、バッファ７０、ビデオ多重分離部７１、情報源復号化部７２、及び後処理部７３を備える。このビデオ復号器６９により復号化されたビデオ符号は、画像メモリ７７に記憶され、あるいは表示駆動回路２９に入力され、この表示駆動回路２９により駆動される画像表示装置３１により画像として再生される。
【００４７】
また、カメラユニット８０より入力される画像信号は、画像信号処理部８１及び画像メモリ８２を介して、画像／音声データ符号器８３のビデオ符号器８４に送られる。ビデオ符号器８４は、前処理部８５、情報源符号化部８６、ビデオ多重化部８７、バッファ８８を備え、このビデオ符号器８３により生成されたビデ符号はシステム多重化部８９に与えられる。また、音声入力端子９０から入力された音声信号は、アンプ９１で増幅されてＡ／Ｄコンバータ９２によりデジタル信号に変換される。このデジタル信号は、画像／音声データ符号器８３のオーディオ符号器９３により音声符号とされてシステム多重化部８９に与えられる。画像／音声データ符号器８３の符号化制御／同期制御部９４は、前記ビデオ符号と音声符号の同期制御情報を生成してシステム多重化部８９に与える。システム制御部８９は、これらビデオ符号、音声符号及び同期制御情報を多重化して主制御部６０に送出する。
【００４８】
他方、ＬＡＮを構成するＩＰ網１００には、ルーター１０２、１０３が接続されている。一方のルーター１０２には、ＨＵＢ６９を介して無線ＡＰ７０が接続され、他方のルーター１０３には、ＨＵＢ１０６を介して無線ＡＰ１０７やテレビ電話端末１０８が接続されているとともに、ゲートウェイを介して公衆電話網１１０が接続され、公衆電話網１１０にはアナログ電話機１１１が接続されている。また、公衆電話網１１０は、移動体網４５を介して無線基地局５４に接続されている。携帯電話端末５５は、前記実施の形態と同様に、無線基地局５４との無線ＬＡＮによる通信機能と、ＢＴにより腕時計型通信端末１０１と通信し得る機能とを併有している。
【００４９】
係る実施の形態によれば、主制御部６０がフラッシュＲＯＭ６４に格納されているプログラムに基づき、前述した図４〜図６のフローチャートに示した処理を実行することによって、より低料金でかつより高速の通信速度で外部と通信を行うことができる。このとき、カメラユニット８０で撮影した画像とマイク９０で検出した音声とを同期させた画像・音声データも送信することが可能となる。
【００５０】
さらに、本実施の形態によれば、図８〜図１１に示すような形態で使用することができる。
図８に示すように、腕時計型通信端末１０１を、無線ＡＰ７０、ＨＵＢ６９等、ルーター１０２、ＬＡＮ／インターネット１４を介して、多地点会議制御ユニット２０１に接続させる一方、ＬＡＮ／インターネット１４、ルーター１０３、ＨＵＢ１０６等を介して、テレビ電話端末１０８を多地点会議制御ユニット２０１に接続させる。これにより、テレビ電話端末１０８と腕時計型通信端末１０１との間でテレビ会議を行うことができる。
図９に示すように、腕時計型通信端末１０１を、無線ＡＰ７０、モデム／ＡＴ２０２等、電話網／ＩＳＤＮ網／ＡＤＳＬ網２０３等を介してテレビ電話端末１０８に接続させることにより、テレビ電話通信を行うことができる。
【００５１】
図１０に示すように、腕時計型通信端末１０１を、携帯電話端末５５、無線基地局５４、移動体網４５、無線基地局５４を介して無線テレビ電話端末２０４に接続させることによっても、テレビ電話通信を行うことができる。
【００５２】
図１１に示すように、腕時計型通信端末１０１を、無線ＡＰ７０、ルーター１０２、ＩＰ網１００、ルーター１０３を介してテレビ電話端末１０８に接続し、このテレビ電話端末のＵＳＢ端子にカメラユニット１０５やヘッドセット１０６を接続させることにより、カメラユニット１０５で撮像した画像を腕時計型通信端末１０１に送信したり、ヘッドセット１０６と腕時計型通信端末１０１との間で通話を行うことができる。
【００５３】
また、腕時計型通信端末１０１の外観構成としては、図１２に示すように、機器本体１２０の表面部に前記画像表示装置３１を配置するともに、その上部に前記カメラユニット８０を回動可能に配置する。したがって、カメラユニット８０を回転させることができ（（Ａ）→（Ｂ））、所望の被写体やユーザー自身の顔等の撮像が容易となる。なお、図１２（Ａ）は着信メール表示時の表示例を示し、同図（Ｂ）はテレビ電話通話中の表示例を示す。
【００５４】
さらに、図１３に示すように、機器本体１２０にの上面端部にカメラユニット８０を配置し、開閉自在な蓋体１２１を枢支するとともに、機器本体１２０側にメール表示装置１２３を設け、蓋体１２１側に画像表示装置３１を配置する一方、リストバンド１２４に複数のキー１２５を配置するようにしてもよい。
【００５５】
（第３の実施の形態）
図１４及び図１５は本発明の第３の実施の形態を示すフローチャートであり、複数の接続可能なＡＰから腕時計型通信端末１（又は、腕時計型通信端末１０１）に接続条件を送信し、腕時計型通信端末１側で１つのＡＰを選択するようにしたものである。すなわち、腕時計型通信端末１の制御部２２は、プログラムメモリ２８に格納されているプログラムに基づき、図１４に示すフローチャートに従って前記通信処理（ステップＡ３０４）を実行する。先ず、不特定の無線ＡＰに対して検索信号を送信する（ステップＡ４０１）。次に、後述するように無線ＡＰから送信されてくる当該無線ＡＰを示すＡＰコード、及び通信条件を受信したか否かを判断する（ステップＡ４０２）。
【００５６】
そして、ＡＰコードと通信条件とを受信した時点で（ステップＡ４０２；ＹＥＳ）、この受信したＡＰコードと通信条件とをデータメモリ２７に記憶させる（ステップＡ４０３）。次に、受信完了信号を送信し（ステップＡ４０４）、このとき例えば受信完了信号にＡＰコードを付加して送信することにより、受信完了信号の送信相手を識別させる。さらに、他の無線ＡＰからのＡＰコードと受信条件の受信があるか否かを判断し（ステップＡ４０５）、他の他の無線ＡＰからのＡＰコードと受信条件の受信がなくなるまで、ステップＡ４０２〜Ａ４０５のループを繰り返す。したがって、ステップＡ４０２〜Ａ４０５のループが複数回繰り返されることにより、データメモリ２７には複数の無線ＡＰからのＡＰコードと通信条件とが記憶、設定されることとなる。
【００５７】
そして、次のステップＡ４０６では、このデータメモリ２７に設定された複数の通信条件に基づいて、その中からいずれか１つの無線ＡＰを選択し、この選択した無線ＡＰには接続信号を送信する一方、他の無線ＡＰにはキャンセル信号を送信する。ここで、通信条件とは、後述するように通信速度、利用料金（有料、無料、定額、従量）、通信可能範囲等であり、ステップＡ４０６においては、より高速の通信条件、より低料金の通信条件、より広範囲の通信条件のいずれか、若しくはこれらの組合せ等、予め設定されているユーザーが可及的に有利となる選択条件に従って無線ＡＰを選択する。そして、この選択した無線ＡＰに対して接続処理を実行し（ステップＡ４０７）、選択した無線ＡＰを介した通信処理を開始する。
【００５８】
他方、第１無線ＡＰ５１、第２無線ＡＰ５８等のコンピュータを内蔵する無線ＡＰは、格納されているプログラムに基づき、図１５に示すフローチャートに従って動作する。すなわち、検索信号の受信状態を常時形成して待機し（ステップＢ４０１）、前述のステップＡ４０１での処理により腕時計型通信端末１から、検索信号が送信されてくると、ステップＢ４０１からステップＢ４０２に進み、ＡＰコードと共に、通信速度、利用料金、通信可能範囲等の通信条件を送信する。このステップＢ４０２で無線ＡＰから送信されるＡＰコードと通信条件の受信が、前述のステップＡ４０２において腕時計型通信端末１側で判断されることとなる。
【００５９】
次に、前述のステップＡ４０４で腕時計型通信端末１側から送信されてくる受信完了信号を受信したか否かを判断し（ステップＢ４０３）、受信完了信号を受信するまでステップＢ４０２→Ｂ４０３→Ｂ４０２のループを繰り返す。受信完了信号を受信したならば（ステップＢ４０３；ＹＥＳ）、前記ステップＡ４０６で腕時計型通信端末１から送信される接続信号を受信したか否か（ステップＢ４０４）、同様に前記ステップＡ４０６で腕時計型通信端末１から送信されるキャンセル信号を受信したか否か（ステップＢ４０５）、及び一定時間が経過したか否か（ステップＢ４０６）を繰り返し判断する。
【００６０】
そして、接続信号を受信した場合には（ステップＢ４０４；ＹＥＳ）、この接続信号を送信した腕時計型通信端末１との通信処理を開始する。また、キャンセル信号を受信した場合（ステップＢ４０５；ＹＥＳ）、及び接続信号とキャンセル信号とを共に受信することなく一定時間が経過し場合には（ステップＢ４０６；ＹＥＳ）、このフローチャートに従った処理を修了する。
【００６１】
なお、第１の実施の形態においては、料金と通信速度とを条件としたが、前述した第３の実施の形態と同様に、通信可能範囲をも条件とするようにしてもよく、さらに、料金、通信速度、通信可能範囲以外の他の条件を加味するようにしてもよい。また、各実施の形態においては、腕時計型通信端末１はＢＴにより携帯電話端末５５と近接無線通信を行い、携帯電話端末５５が無線基地局５４と通信を行う構成を示したが、腕時計型通信端末１に通常の携帯電話端末と同様の無線基地局５４との通信機能を組み込むようにしてもよい。
【００６２】
【発明の効果】
以上説明したように本発明に係る通信端末、通信端末の通信制御方法、通信制御プログラムによれば、ユーザーが通信端末を携帯し、如何なる場所に移動して使用した場合であっても、通信可能な複数の通信装置のうち、予め設定された条件に基づいて、いずれか１つの通信装置が選択されて、この選択された通信装置と通信を可能に接続することができる。よって、ユーザーは何処でこの通信端末を使用した場合であっても、当該通信条件における当該ユーザにとって、通信速度的、通信料金的、あるいは通信可能領域的等に関して、最も有利な条件で、通信よるサービスを享受することができる。
【００６３】
また、本発明に係る通信システムによれば、ユーザーが何処で通信端末を使用した場合であっても、当該通信条件における当該ユーザにとって、最も有利な条件で、通信よるサービスを享受することができるシステムを確立することができる。
【図面の簡単な説明】
【図１】本発明の第１の実施の形態に係る腕時計型通信端末の回路構成を示すブロック図及びシステムの全体構成図である。
【図２】通信設定データ（１）のデータ内容を示す図である。
【図３】通信設定データ（２）のデータ内容を示す図である。
【図４】腕時計型通信端末の処理手順を示すフローチャートである。
【図５】通信処理の内容を示すフローチャートである。
【図６】腕時計型通信端末の処理手順と無線ＡＰ又は携帯電話端末の処理手順を示すフローチャートである。
【図７】本発明の第２の実施の形態に係る腕時計型通信端末の回路構成を示すブロック図及びシステムの全体構成図である。
【図８】同実施の形態に係る腕時計型通信端末の利用例を示す図である。
【図９】同実施の形態に係る腕時計型通信端末の利用例を示す図である。
【図１０】同実施の形態に係る腕時計型通信端末の利用例を示す図である。
【図１１】同実施の形態に係る腕時計型通信端末の利用例を示す図である。
【図１２】同実施の形態に係る腕時計型通信端末の外観構成例を示す図である。
【図１３】同実施の形態に係る腕時計型通信端末の外観構成例を示す図である。
【図１４】本発明の第３の実施の形態に係る腕時計型通信端末の処理手順を示すフローチャートである。
【図１５】同実施の形態に係るＡＰ（アクセスポイント）の処理手順を示すフローチャートである。
【符号の説明】
１　　腕時計型通信端末
３　　ＲＦ／送受信部
４　　アンテナスイッチ
１４　　ベースバンド部
１５　　リンク制御部
１６　　フラッシュＲＯＭ
１７　　ＲＡＭ
２０　　接続制御部
２１　　パケット出力処理部
２２　　制御部
２７　　データメモリ
２８　　プログラムメモリ
２９　　表示駆動回路
３１　　画像表示装置
４１　　インターネット
４２　　サーバー群
４５　　移動体網
４６　　公衆網／ＡＤＳＬ網等
４７　　ＷＷＷサーバー
５１　　第１無線ＡＰ
５４　　無線基地局
５５　　携帯電話端末
５６　　モデム
５７　　ＨＵＢ
５８　　第２無線ＡＰ
６０　　主制御部
６１　　ＲＡＭ
６４　　フラッシュＲＯＭ
【図１】
2004088516.tif 000003
【図２】
2004088516.tif 000004
【図３】
2004088516.tif 000005
【図４】
2004088516.tif 000006
【図５】
2004088516.tif 000007
【図６】
2004088516.tif 000008
【図７】
2004088516.tif 000009
【図８】
2004088516.tif 000010
【図９】
2004088516.tif 000011
【図１０】
2004088516.tif 000012
【図１１】
2004088516.tif 000013
【図１２】
2004088516.tif 000014
【図１３】
2004088516.tif 000015
【図１４】
2004088516.tif 000016
【図１５】
2004088516.tif 000017